(57)【要約】【課題】  医療機関の利用者が、医療機関での検査結果や薬歴を閲覧することができるとともに、その閲覧の際に、利用者に対して、利用者の関心の高い商品やサービスに関する広告を提供することができる診療情報表示システムを提供することを目的とする。【解決手段】  本発明は、利用者端末と、利用者端末と接続が可能な医療情報管理サーバ装置とを備え、医療情報管理サーバ装置が、利用者が過去に医療機関にて受診をした際における診療情報を記憶する診療情報記憶手段と、広告情報を生成する広告情報生成手段と、利用者の診療情報と広告情報生成手段により生成された広告情報とを利用者端末に送信する診療情報送信手段とを備え、利用者端末が、医療情報管理サーバ装置から診療情報と広告情報とを受信する診療情報受信手段と、診療情報受信手段により受信された診療情報および広告情報を表示する情報表示手段とを備える診療情報表示システムに関する。【選択図】    図１
2014174635.tif 000002
【特許請求の範囲】
【請求項１】
医療機関の利用者が自らの診療情報を閲覧するための利用者端末と、利用者端末と通信回線を介して接続が可能な医療情報管理サーバ装置とを備え、
医療情報管理サーバ装置が、
利用者が過去に医療機関にて受診をした際における診療情報を記憶する診療情報記憶手段と、
広告情報を生成する広告情報生成手段と、
利用者の診療情報と広告情報生成手段により生成された広告情報とを利用者端末に送信する診療情報送信手段と
を備え、
利用者端末が、
医療情報管理サーバ装置から診療情報と広告情報とを受信する診療情報受信手段と、
診療情報受信手段により受信された診療情報および広告情報を表示する情報表示手段と
を備える診療情報表示システム。
【請求項２】
医療情報管理サーバ装置が、
利用者自らの診療情報を閲覧するための第一の閲覧要求を、利用者端末から受信する第一閲覧要求受信手段とを備え、
利用者端末が、
診療情報の閲覧を要求する第一の閲覧要求を医療情報管理サーバ装置に送信する第一閲覧要求送信手段とを備え、
診療情報送信手段が、第一閲覧要求受信手段により第一の閲覧要求を受信することで、診療情報と広告情報とを利用者端末に送信する
ことを特徴とする請求項１に記載の診療情報表示システム。
【請求項３】
診療情報送信手段が、診療情報のうち薬歴又は検査情報を含む所定の情報とともに広告情報を送信する
ことを特徴とする請求項１又は２に記載の診療情報表示システム。
【請求項４】
広告情報生成手段が、診療情報に応じて広告情報を生成することを特徴とする請求項１〜３のいずれかに記載の診療情報表示システム。
【請求項５】
さらに、前記医療機関とは異なる他の医療機関に設置された、医療情報管理サーバ装置と通信回線を介して接続が可能な他の医療機関端末とを備え、
他の医療機関端末が、
特定の利用者に関する診療情報の閲覧を要求する第二の閲覧要求を医療情報管理サーバ装置に送信する第二閲覧要求送信手段と、
医療情報管理サーバ装置から第二の閲覧要求に対応する診療情報を受信する共有診療情報受信手段と、
共有診療情報受信手段により受信された診療情報を表示する共有診療情報表示手段と
を備え、
医療情報管理サーバ装置が、
他の医療機関端末から診療情報を閲覧するための第二の閲覧要求を受信する第二閲覧要求受信手段と、
第二閲覧要求受信手段により第二の閲覧要求を受信すると、第二の閲覧要求に対応した特定の利用者に関する診療情報を他の医療機関端末に送信する共有診療情報送信手段と
を備える
ことを特徴とする請求項１〜４のいずれかに記載の診療情報表示システム。
【請求項６】
共有診療情報送信手段が、第二の閲覧要求に対応した特定の利用者に関する診療情報のうち、前記医療機関により閲覧が可能と指定された情報のみを他の医療機関端末に送信する
ことを特徴とする請求項５に記載の診療情報表示システム。
【請求項７】
前記診療情報は、医療機関の利用者が受診した複数の医療機関における診療情報である請求項１〜６のいずれかに記載の診療情報表示システム。
【請求項８】
他の医療機関端末が、
利用者の診療を行った際に診療情報の更新データを医療情報管理サーバ装置に送信する診療更新情報送信手段を備え、
医療情報管理サーバ装置が、
診療更新情報送信手段により送信された診療情報の更新データを受信する診療更新情報受信手段と、
診療更新情報受信手段により受信した診療情報の更新データをもとに、診療情報を更新する診療情報更新手段と、
診療情報更新手段により診療情報が更新された更新日時に関する更新情報を記憶する更新情報記憶手段と、
共有診療情報送信手段により、第二の閲覧要求に対応した特定の利用者に関する診療情報を他の医療機関端末に送信する際に、第二閲覧要求受信手段により第二の閲覧要求を受信した日時、及び／又は、該診療情報が該他の医療機関端末に送信された日時に関するログ情報を記憶するログ情報記憶手段と、
特定の利用者の診療情報に関する、ログ情報と更新情報とを参照し、ログ情報の日時から所定の期間内までに、及び／又は、所定の期限までに、該特定の利用者に関する診療情報が、該ログ情報に対応する他の医療機関端末から受信した診療情報の更新データをもとに、診療情報更新手段により更新されているか否かを判定する診療情報更新判定手段と、
診療情報更新判定手段により、該特定の利用者に関する診療情報が更新されていないと判定された場合に、アラート情報を生成するアラート情報生成手段と
を備えることを特徴とする請求項５〜７のいずれかに記載の診療情報表示システム。
【発明の詳細な説明】
【技術分野】
【０００１】
本発明は、利用者が自らの過去の医療機関における診療情報を閲覧することができる診療情報表示システムに関する。
【背景技術】
【０００２】
近年、厚生労働省により「医療情報システムの安全管理に関するガイドライン」の改定が行われ、医療情報の外部保存が認められ、これに伴い、各医療機関における医療情報を一括で管理することが可能となった。図１２は、こうした医療情報の利用体の１つの形態を示す図である。本形態では、団体１１１に、複数の医療機関１１２が登録をすることで、診療情報の共同利用体１１０を構成している。共同利用体１１０に登録している各医療機関１１２は、患者の診療情報や検査情報などの情報の管理を共同利用体１１０に委託し、管理委託されたこれらの情報は、他の医療機関１１２においても閲覧が可能となっている。なお、団体１１１では、各医療機関の診療情報を管理するための医療情報システムを導入することで、複数の医療機関の間での情報の共同利用を可能としている。
【０００３】
しかし、医療機関１１２としては、これら医療情報システムにより診療情報を複数の医療機関１１２の間で共有することのみでは、共同利用体１１０に加入する十分なメリットがなく、そのため、共同利用体１１０への医療機関１１２の加入も遅々として進んでいないのが現状である。また、医療機関１１２の利用者１１３としても、このような医療情報システムを導入する医療機関１１２を利用することによるメリットが十分にあるわけではなく、医療機関１１２を選ぶ際における動機付けとはなりえていなかった。
【０００４】
このような中、医療機関や福祉機関における利用者の履歴情報を、利用者が容易に閲覧できる医療・福祉関係サービス支援システムが提案されている（例えば、特許文献１参照）。利用者が複数の医療機関や介護機関から医療や介護・看護サービスを受けている場合に、これらの履歴情報を統一的に管理して、利用者や医療機関による、これらの情報の閲覧を可能としたものである。
【０００５】
ところで、医療機関の利用者が自身の診療情報を閲覧する時は、利用者自身の健康への関心が高まっている時であるため、健康、医療、保険、福祉、理美容などに関連する商品やサービス、例えば、生命保険や医療保険、健康食品、人間ドックなどの広告を提供するには絶好のタイミングであるのにもかかわらず、従来のシステムでは、医療機関の利用者に向けての効率的な広告は行われていなかった。
【先行技術文献】
【特許文献】
【０００６】
【特許文献１】特開２００３−３２３４９２号公報
【発明の概要】
【発明が解決しようとする課題】
【０００７】
本発明は、このような問題を解決するためのもので、利用者が自身の診療情報を閲覧することができるとともに、診療情報と併せて広告情報を提供することができる診療情報表示システムを提供することを目的とする。
【課題を解決するための手段】
【０００８】
本発明は、医療機関の利用者が自らの診療情報を閲覧するための利用者端末と、利用者端末と通信回線を介して接続が可能な医療情報管理サーバ装置とを備え、医療情報管理サーバ装置は、利用者が過去に医療機関にて受診をした際における診療情報を記憶する診療情報記憶手段と、広告情報を生成する広告情報生成手段と、利用者の診療情報と広告情報生成手段により生成された広告情報とを利用者端末に送信する診療情報送信手段とを備え、利用者端末は、医療情報管理サーバ装置から診療情報と広告情報とを受信する診療情報受信手段と、診療情報受信手段により受信された診療情報および広告情報を表示する情報表示手段とを備える診療情報表示システムに関する。
【０００９】
本発明によれば、医療機関の利用者（以下、「利用者」という）は、その医療機関を過去に利用した際の診療情報を、通信回線を介して利用者端末により受信し、これを利用者端末に表示させ閲覧することができる。この際、利用者端末には、診療情報とともに、医療情報管理サーバ装置により生成された広告情報が送信されるため、利用者の利便性をより一層高めることができる。利用者の利便性を高めることにより、利用者に対して、診療情報の共同利用体に加入して本発明の診療情報表示システムを導入している医療機関を利用したいという動機付けをすることができる。これにより、医療機関にとっては、利用者の再受診率を高めたり、新規利用者を獲得できたりするといった恩恵を受けることができるようになるため、診療情報の共同利用体に加入するメリットがより強化される。結果として、本発明によれば、医療機関の診療情報の共同利用体への加入を促進し、診療情報の共同利用を推し進めることができる。また、本発明の診療情報表示システム及び医療情報管理サーバ装置を管理・運営する事業者（以下、「事業者」という）は、医療、健康、保険等に関心の高い利用者に対して、広告を提供することができる。
【００１０】
医療情報管理サーバ装置は、利用者自らの診療情報を閲覧するための第一の閲覧要求を、利用者端末から受信する第一閲覧要求受信手段とを備え、利用者端末は、診療情報の閲覧を要求する第一の閲覧要求を医療情報管理サーバ装置に送信する第一閲覧要求送信手段とを備え、診療情報送信手段は、第一閲覧要求受信手段により第一の閲覧要求を受信することで、診療情報と広告情報とを利用者端末に送信することが好ましい。
【００１１】
利用者は、利用者端末から自らの診療情報に関する閲覧要求を医療情報管理サーバ装置に送信することによって、医療情報管理サーバ装置から診療情報を受信して利用者端末に表示することができるため、利用者は、閲覧したい時にいつでも自由に自らの診療情報を閲覧することができる。その際に、診療情報とともに広告情報が利用者端末に表示されるので、利用者の利便性をより高めることができる。また、事業者は、利用者が医療、健康、保険等への関心が高まった時を逃さずに広告情報を提供することができる。
【００１２】
診療情報送信手段は、診療情報のうち薬歴又は検査情報を含む所定の情報とともに広告情報を送信することが好ましい。
【００１３】
利用者が利用者端末で受信して閲覧できる診療情報は、利用者の薬歴又は検査情報を含む所定の情報であるため、利用者は、例えば、別の医療機関で診療や検査を受ける際に、
前の診療で処方された薬や、前の検査の結果について、予め詳しい情報を閲覧して、次の診療での医師への説明のための情報を準備しておくことができる。つまり、利用者の利便性をより高めることができる。
【００１４】
診療情報生成手段は、診療情報に応じて広告情報を生成することが好ましい。
【００１５】
利用者端末に表示される広告情報は、利用者の診療情報に応じて生成された広告であるので、利用者は、ニーズに合った広告情報の提供を受けることができる。これにより、利用者の利便性をより一層高めることができる。また、事業者は、利用者に対して、関心が高いと予測される広告を選んで提供することができる。そのため、事業者は広告の効果を高めることができる。
【００１６】
さらに、前記医療機関とは異なる他の医療機関に設置された、医療情報管理サーバ装置と通信回線を介して接続が可能な他の医療機関端末とを備え、他の医療機関端末は、特定の利用者に関する診療情報の閲覧を要求する第二の閲覧要求を医療情報管理サーバ装置に送信する第二閲覧要求送信手段と、医療情報管理サーバ装置から第二の閲覧要求に対応する診療情報を受信する共有診療情報受信手段と、共有診療情報受信手段により受信された診療情報を表示する共有診療情報表示手段とを備え、医療情報管理サーバ装置は、他の医療機関端末から診療情報を閲覧するための第二の閲覧要求を受信する第二閲覧要求受信手段と、第二閲覧要求受信手段により第二の閲覧要求を受信すると、第二の閲覧要求に対応した特定の利用者に関する診療情報を他の医療機関端末に送信する共有診療情報送信手段とを備えることが好ましい。
【００１７】
利用者の診療情報を、利用者が過去に受診した医療機関以外の他の医療機関でも閲覧できるようにし、複数の医療機関の間で利用者の診療情報を共有することで、利用者が複数の医療機関を受診する際における、利用者および医療機関の利便性を高めることができる。
【００１８】
共有診療情報送信手段は、第二の閲覧要求に対応した特定の利用者に関する診療情報のうち、前記医療機関により閲覧が可能と指定された情報のみを他の医療機関端末に送信することが好ましい。
【００１９】
事業者に診療情報に関する医療情報システム業務を委託する各医療機関が、その医療機関における診療情報のうち、本発明の診療情報表示システムが導入された他の医療機関が閲覧できる情報を指定できるようにし、各医療機関により閲覧可能と指定された情報のみを、他の医療機関が閲覧できるようにすることで、各医療機関は、他の医療機関と共有するにはふさわしくない情報については、これを提供せずに済む。これにより、利用者にとっては、自身の個人情報の機密性が適切に保たれることになるため、利便性がより高まる。また、事業者は、医療機関に対して、医療情報の機密保持の観点で安全な診療情報表示システムを提供することができるようになるため、各医療機関が診療情報の共同利用体に加入して本発明のシステムを導入することのメリットを強化することができる。結果として、診療情報の共同利用体への加入を促進し、診療情報の共同利用を推し進めることができる。
【００２０】
前記診療情報は、医療機関の利用者が受診した複数の医療機関における診療情報であることが好ましい。
【００２１】
利用者が受診した医療機関が複数である場合でも、それら複数の医療機関がそれぞれ診療情報の共同利用体に加入しており本発明の診療情報表示システムを導入していれば、利用者は複数の医療機関における自身の診療情報を端末で受信して閲覧することができる。つまり、利用者の利便性をより高めることができる。
【００２２】
他の医療機関端末は、利用者の診療を行った際に診療情報の更新データを医療情報管理サーバ装置に送信する診療更新情報送信手段を備え、医療情報管理サーバ装置は、診療更新情報送信手段により送信された診療情報の更新データを受信する診療更新情報受信手段と、診療更新情報受信手段により受信した診療情報の更新データをもとに、診療情報を更新する診療情報更新手段と、診療情報更新手段により診療情報が更新された更新日時に関する更新情報を記憶する更新情報記憶手段と、共有診療情報送信手段により、第二の閲覧要求に対応した特定の利用者に関する診療情報を他の医療機関端末に送信する際に、第二閲覧要求受信手段により第二の閲覧要求を受信した日時、及び／又は、該診療情報が該他の医療機関端末に送信された日時に関するログ情報を記憶するログ情報記憶手段と、特定の利用者の診療情報に関する、ログ情報と更新情報とを参照し、ログ情報の日時から所定の期間内までに、及び／又は、所定の期限までに、該特定の利用者に関する診療情報が、該ログ情報に対応する他の医療機関端末から受信した診療情報の更新データをもとに、診療情報更新手段により更新されているか否かを判定する診療情報更新判定手段と、診療情報更新判定手段により、該特定の利用者に関する診療情報が更新されていないと判定された場合に、アラート情報を生成するアラート情報生成手段とを備えることが好ましい。
【００２３】
医療機関が診療情報の共同利用体に加入する際には、規約への同意が求められる。この規約とは、利用者の診療を行う目的以外での医療機関による利用者の診療情報の閲覧はしてはならないというものである。この規約が医療機関により遵守されることを担保するために、本発明の診療情報表示システムにおいては、医療機関による診療情報の閲覧から所定の期間内、及び／又は、所定の期限までに、診療情報を閲覧した医療機関により、その利用者の診療が行われ、診療情報が更新されたか否かを判定する。閲覧後にその医療機関により診療が行われていない場合には、本発明の診療情報表示システムがアラート情報を生成する。この構成により、利用者の診療を行う目的以外での医療機関による利用者の診療情報の閲覧が行われていないかどうかを判定することができるため、規約の遵守を担保することができ、より確実に利用者の個人情報を保護することができる。
【図面の簡単な説明】
【００２４】
【図１】本発明の実施の形態にかかる診療情報表示システムの構成を示す図である。
【図２】本発明の実施の形態にかかる第一の診療情報閲覧処理のフローチャートを示す図である。
【図３】本発明の実施の形態にかかる第二の診療情報閲覧処理のフローチャートを示す図である。
【図４】本発明の実施の形態にかかる医療機関において、他の医療機関が閲覧可能な診療情報の選択・指定処理のフローチャートを示す図である。
【図５】本発明の実施の形態にかかる認証画面の一例を示す図である。
【図６】本発明の実施の形態にかかる利用者端末に表示されるログイン画面の一例を示す図である。
【図７】本発明の実施の形態にかかる利用者端末に表示される診療情報表示画面の一例を示す図である。
【図８】本発明の実施の形態にかかる医療機関端末に表示されるログイン画面の一例を示す図である。
【図９】本発明の実施の形態にかかる医療機関端末に表示される診療情報表示画面の一例を示す図である。
【図１０】本発明の実施の形態にかかる医療機関端末に表示される診療情報閲覧可否指定画面の一例を示す図である。
【図１１】本発明の実施の形態にかかる広告登録データベースに記憶されるデータレコード形式の一例を示す図である。
【図１２】本発明の背景技術に関する医療情報の利用体の一例を示す図である。
【図１３】本発明の実施の形態にかかる利用者の診療情報を閲覧した医療機関により診療が行われたかどうかの確認処理、及び、アラート情報生成処理のフローチャートを示す図である。
【発明を実施するための形態】
【００２５】
以下に、本発明の実施の形態について、説明をする。図１は、本発明の実施の形態にかかる診療情報表示システムの構成を示す図である。医療情報管理サーバ１０は、事業者が管理・運営するサーバである。医療情報管理サーバ１０には、認証機能１１、広告生成機能１２、情報送受信機能１４が具備されており、さらに、広告登録データベース１３、診療情報データべース１５、及び、登録情報データベース１６等が具備されている。利用者端末３０は、利用者が自身の診療情報を閲覧するための端末である。医療機関端末４０は、診療所などの医療機関に設置されている端末装置である。なお、本実施形態においては、医療機関端末４０は、当該医療機関の診療に関する医療機関診療情報を記憶する医療機関診療情報データベース４１を具備しているが、本発明はこれに限定されることはなく、例えば、医療情報管理サーバ１０の具備する診療情報データべース１５に、各医療機関の医療機関診療情報が一括して記憶されるようにすることも可能である。各医療機関には、少なくとも１台の医療機関端末４０が割り当てられており、特に図示はしないが、医療機関端末４０は、本発明の診療情報表示システムを導入する医療機関の数に応じて、複数、設置される。医療情報管理サーバ１０と利用者端末３０は、通信ネットワーク２０を介して接続が可能である。また、医療情報管理サーバ１０と医療機関端末４０は、通信ネットワーク２１を介して接続が可能である。診療情報の機密保持の観点から、通信ネットワーク２０と２１はそれぞれ別のネットワークであることが好ましいが、本発明はこれに限定されることはなく、通信ネットワーク２０と２１が同じ通信ネットワークであっても良い。
【００２６】
医療情報管理サーバ１０は、ＨＤＤ等の記憶手段、ＣＰＵ、ＲＡＭ、ＲＯＭ等を具備しており、また、認証機能１１、広告生成機能１２、情報送受信機能１４を具備しており、さらに、広告登録データベース１３、診療情報データべース１５、及び、登録情報データベース１６等を具備している。広告登録データベース１３は、医療情報管理サーバ１０と接続可能な別のサーバ、例えば、広告を提供する会社のサーバ等に具備され、これを医療情報管理サーバ１０が参照するように構成することも可能である。
【００２７】
認証機能１１は、利用者端末３０及び医療機関端末４０からのアクセスを受け付け、ＩＤやパスワード等を用いた認証方法によって、医療情報管理サーバ１０へのアクセスを管理する。認証機能１１は、利用者端末３０又は医療機関端末４０から送信される、ＩＤと対応するパスワードとを受信する。そして、本発明の診療情報表示システムを利用する利用者の利用者ＩＤやパスワード等、及び、本発明の診療情報表示システムを導入した医療機関の医療機関ＩＤやパスワード等を含む登録情報が予め登録されている登録情報データベース１５を参照し、受信したログイン情報と登録情報とを照合して、利用者及び医療機関の認証を行う。
【００２８】
広告生成機能１２は、広告情報を生成し、生成した広告情報を、情報送受信機能１４から認証機能１１を経由して利用者端末３０に送信する。この広告情報の生成においては、広告生成機能１２は、利用者に対応する診療情報を診療情報データベース１５に照会・抽出して、この利用者に対応する診療情報を参照して、利用者や利用者の診療情報に応じた広告情報を適宜生成することが好ましい。この場合には、広告生成機能１２が、利用者に対応する診療情報を参照し、この情報に適合する広告情報を広告登録データベース１３に照会して、利用者にとって関心が高いと予測される広告を抽出し、利用者端末３０に送信する広告情報を生成する。
【００２９】
広告登録データベース１３には、利用者に送信する広告情報を生成するための元となる広告に関する情報が記憶されている。広告に関する情報は、その広告を提供する対象として効果的と予測される利用者の属性、例えば、年齢、性別、居住地域、確定診断、処方薬、既往症などと、広告とを紐付けた形のデータレコードとして記憶されていることが好ましい。また、広告登録データベース１３のデータレコードの内容は、事業者又は広告提供主により、適宜更新されるように構成することも可能である。
【００３０】
情報送受信機能１４は、利用者端末３０からの第一の閲覧要求、又は、医療機関端末４０からの第二の閲覧要求を受信し、これらの閲覧要求に基づいて、利用者ＩＤや医療機関ＩＤなどが登録されている登録情報データベース１６を参照して、第一の閲覧要求又は第二の閲覧要求に対応した診療情報を、それぞれ利用者端末３０又は医療機関端末４０に送信する。また、利用者端末３０に第一の閲覧要求に対応した診療情報を送信する際には、広告生成機能１２によって生成された広告情報を併せて利用者端末３０に送信する。第一の閲覧要求に対応した診療情報とは、診療情報データベース１５に記憶される診療情報のうち、予め各医療機関や事業者などにより、利用者に対して閲覧を可能と指定した診療情報のことであり、閲覧の可否を指定する情報を含む登録情報が、登録情報データベース１６に記憶されていることが好ましい。また、第二の閲覧要求に対応した診療情報とは、診療情報データベース１５に記憶される診療情報のうち、予め各医療機関が他の医療機関に対して閲覧を可能と指定した診療情報のことであり、閲覧の可否を指定する情報を含む登録情報が、登録情報データベース１６に記憶されていることが好ましい。また、各医療機関が他の医療機関に対して閲覧を可能と指定した診療情報のみを、医療機関端末４０が医療機関診療データベース４１から抽出して、情報送受信機能１４に送信し、診療情報データベース１５に記憶させるようにすることも可能である。
【００３１】
また、情報送受信機能１４が第二の閲覧要求を受信するか、又は、診療情報を送信すると、ログ情報が生成され、これが登録情報データベース１６に記憶されて、ログ情報の診療確認フラグがＯＮにされる。医療機関により診療情報が更新される際には、医療機関端末４０から送信された診療情報の更新データを受信し、これをもとに診療情報データベース１５に記憶された診療情報が更新されるとともに、更新日時に関する更新情報が生成され、これが診療情報データベース１５に記憶される。診療情報を閲覧した医療機関により診療が行われたかどうかの確認処理においては、診療確認フラグがＯＮになっているログ情報について、更新情報との参照が行われ、医療機関による診療情報の閲覧後に、その医療機関により診療が行われたかどうかが判定される。この判定により、閲覧後の診療が行われていないと判定された場合には、アラート情報が生成される。
【００３２】
診療情報データベース１５は、本発明の診療情報表示システムを導入した医療機関における、診療、検査、処置などに関する診療情報を記憶する。診療情報データベース１５に記憶される診療情報に含まれる情報は、例えば、診療における確定診断や医師の所見、処方薬の種類と用量を含む利用者の薬歴、利用者が受けた検査の内容とその結果に関するデータ、利用者が受けた処置の内容などが挙げられる。診療情報データベース１５に記憶される診療情報は、利用者毎に管理、記憶されていることが好ましい。また、診療情報データベース１５に記憶される診療情報は、本発明の診療情報表示システムを導入した医療機関から提供されるものである。医療機関からの診療情報の提供は、各医療機関端末４０の有する医療機関診療情報データベース４１に記憶されるデータを、ＤＶＤ（登録商標）などの記録媒体に記録して、事業者に提供することも可能であるし、通信ネットワーク２１を介して医療情報管理サーバ１０の情報送受信機能１４に送信し、診療情報データベース１５に記憶させるようにすることも可能である。この際に、各医療機関における診療情報について、他の医療機関による閲覧を可能とする診療情報を各医療機関が選択し指定するようにして、各医療機関が他の医療機関からの閲覧を可能と指定した診療情報のみを、事業者に提供して、事業者がこれを診療情報データベース１５に記憶させるように構成することも可能である。また、診療情報データベース１５には、医療機関による診療情報の更新が行われた際に生成される更新日時に関する更新情報が記憶される。
【００３３】
登録情報データベース１６には、本発明の診療情報表示システムを利用する、利用者や医療機関の登録に関する情報、及び、利用者や医療機関に対して提供される診療情報の項目に関する情報などが含まれる登録情報が記憶される。利用者の登録に関する情報としては、例えば、利用者ＩＤとそのＩＤに対応するパスワードなどの認証情報が挙げられる。医療機関の登録に関する情報としては、例えば、医療機関ＩＤとそのＩＤに関するパスワードなどの認証情報が挙げられる。利用者に対して提供される診療情報の項目に関する情報としては、例えば、診療情報データベース１５に記憶された診療情報の項目のうち、利用者に対して閲覧が許可された項目の情報などが挙げられる。医療機関に対して提供される診療情報の項目に関する情報としては、例えば、診療情報データベース１５に記憶された診療情報の項目のうち、他の医療機関に対して閲覧が許可された項目の情報などが挙げられる。また、登録情報データベース１６には、医療機関により診療情報が閲覧される際に生成されるログ情報が記憶される。
【００３４】
利用者端末３０は、ＨＤＤ等の記憶手段、ＣＰＵ、ＲＡＭ、ＲＯＭ、入力装置及び表示装置等を具備し、通信ネットワーク２０を介して、医療情報管理サーバ１０と接続が可能である。通信ネットワーク２０は、医療情報管理サーバ１０と利用者端末３０との接続が可能であれば、その種類や形態は問わない。利用者端末３０の入力装置としては、例えば、キーボード、マウス、タッチパネル等が挙げられる。利用者端末３０は、医療情報管理サーバ１０の具備する情報送受信機能１４から送信される、利用者に対応した診療情報と広告情報とを受信し、これらを表示装置に表示可能であれば良く、さらに、利用者により入力される利用者ＩＤ、パスワード、及び、第一の閲覧要求などの入力を入力装置から受け付け、これらの入力された情報を、医療情報管理サーバ１０の具備する認証機能１１又は情報送受信機能１４にそれぞれ送信する機能を具備することが好ましい。
【００３５】
医療機関端末４０は、ＨＤＤ等の記憶手段、ＣＰＵ、ＲＡＭ、ＲＯＭ、入力装置及び表示装置等を具備し、通信ネットワーク２１を介して、医療情報管理サーバ１０と接続が可能である。通信ネットワーク２１は、医療機関端末４０と医療情報管理サーバ１０とが接続可能であれば、その種類や形式に制限はないが、医療情報の機密保持の観点から、両者の接続には、ＶＰＮなどのセキュアな接続方法を用いていることが好ましい。さらに、医療機関端末４０は、当該医療機関の診療に関する医療機関診療情報を記憶させる医療機関診療情報データベース４１を具備するが、医療機関診療情報は、医療情報管理サーバ１０の具備する診療情報データベース１５に記憶されるようにすることも可能である。医療機関端末４０は、医療情報管理サーバ１０の具備する情報送受信機能１４から送信される第二の閲覧要求に対応する診療情報を受信し、これらを表示装置に表示可能であることが好ましい。さらに、医療機関の医師などにより入力される医療機関ＩＤ、パスワード、第二の閲覧要求、並びにその医療機関の利用者の利用者ＩＤなどの入力を入力装置から受け付け、これを医療情報管理サーバ１０の具備する情報送受信機能１４に、認証機能１１を経由して送信することが好ましい。
【００３６】
医療機関診療情報データベース４１は、医療機関端末４０に具備されることが好ましい。医療機関診療情報データベース４１には、当該医療機関での診療、検査、処置などに関する医療機関診療情報が記憶される。
【００３７】
次に、診療情報表示システムにおいて実行される第一の診療情報閲覧処理について説明する。図２は、本発明の実施の形態にかかる第一の診療情報閲覧処理のフローチャートを示す図である。
【００３８】
利用者は、自身の検査結果や薬歴を含む診療情報を閲覧するために、まず利用者端末３０から医療情報管理サーバ１０にアクセスすると、認証機能１１によって、利用者端末３０の表示装置には、ログイン画面が表示される。このログイン画面において、利用者は、利用者端末３０の入力装置から、利用者ＩＤと対応するパスワードを入力して、認証機能１１に送信する（ステップＳ１１）。利用者ＩＤやパスワードといったログインに必要な情報は、本発明の診療情報表示システムの利用に関して同意を得た利用者に対して発行されるものであり、予め事業者から利用者に、郵送やメール添付などの形で送付されていることが好ましい。なお、本実施形態においては、ログインに必要な認証方法として、利用者ＩＤとパスワードを用いた例を挙げたが、本発明はこれに限定させることはなく、例えば、指紋や指静脈照合などといった、利用者個人を一意に識別できる認証方法であれば、他の方法であっても良い。
【００３９】
認証機能１１は、利用者ＩＤとパスワードを受信し（ステップＳ１２）、これらのログイン情報について、利用者の認証情報を含む登録情報が予め登録されている登録情報データベース１５に照会する（ステップＳ１３）。認証機能１１は、受信したログイン情報と、登録情報データベース１５に記憶された登録情報に含まれる認証情報とを照合し（ステップＳ１４）、一致していない場合には、ログイン情報が正しくないとのメッセージを利用者端末３０に送信し、このメッセージを受信した利用者端末３０は、表示装置にこのメッセージを表示し（ステップＳ１５）、ログイン画面を再度表示させる（ステップＳ１１）。
【００４０】
ステップＳ１４において、認証機能１１が受信したログイン情報と、登録情報に含まれる認証情報とが一致した場合には、情報送受信機能１４は、登録情報データベース１６の登録情報に含まれる、診療情報データベース１５に記憶された診療情報の項目のうち、ログインした利用者に対して閲覧が許可された項目の情報を参照して、ログインした利用者が閲覧可能な診療情報の項目リストを生成し、利用者端末３０に送信する（ステップＳ１６）。この際に、ログインした利用者に対応する登録情報又は診療情報に基づいて、広告生成機能１２が、後に詳述する方法で、広告登録データベース１３から広告に関する情報を抽出して、広告情報を生成し、項目リストとともに情報送受信機能１４から利用者端末３０に送信するようにすることも可能である。利用者端末３０は、情報送受信機能１４により生成された、ログインした利用者が閲覧可能な診療情報の項目リストを受信し、表示装置に表示する（ステップＳ１７）。
【００４１】
項目リストを受信した利用者端末３０の表示装置には、利用者が閲覧可能な診療情報の項目リストが表示される。利用者は、利用者端末３０の入力装置からの入力によって、この項目リストの中から、利用者が閲覧したい情報を任意に選択することができる。ここで選択された項目に基づいて、第一の閲覧要求が生成され、認証機能１１を経由して情報送受信機能１４に送信される（ステップＳ１８）。
【００４２】
情報送受信機能１４は、第一の閲覧要求を受信し（ステップＳ１９）、これに対応する診療情報を診療情報データベース１５に照会し、第一の閲覧要求に対応する診療情報を抽出する（ステップＳ２０）。広告生成機能１２は、この抽出した診療情報に応じた広告に関する情報を、広告登録データベース１３に照会する（ステップＳ２１）。広告登録データベース１３には、利用者に送信する広告情報を生成するための元となる広告に関する情報が記憶されている。広告に関する情報は、その広告を提供する対象として効果的と予測される利用者の属性、例えば、年齢、性別、居住地域、確定診断などと、広告とを紐付けた形のデータテーブルとして記憶されており、広告生成機能１２は、抽出した診療情報とこのデータテーブルとを照合して、利用者の関心が高いと予測される広告を選び出し、それらの利用者に対応する広告に関する情報を抽出して、利用者に送信する広告情報を生成する（ステップＳ２２）。
【００４３】
情報送受信機能１４は、診療情報データベース１５から抽出した、第一の閲覧要求に対応した診療情報と、広告生成機能１２が広告登録データベース１３から抽出した広告情報とを、利用者端末３０に送信する（ステップＳ２３）。利用者端末３０は、送信された診療情報及び広告情報を受信し（ステップＳ２４）、これらの情報を表示装置に表示する（ステップＳ２５）。なお、利用者端末３０が受信した診療情報は、利用者端末３０によって適宜加工され、利用者にとって好適な表示方法で表示されるようにすることが可能であり、例えば、利用者の薬歴や検査結果を、時系列や受診医療機関毎といった、利用者が閲覧しやすい表示形式で表示可能とすることが可能である。また、利用者が、本発明の診療情報表示システムが導入されている複数の医療機関を受診した場合であれば、利用者の診療情報を利用者端末３０に表示する際に、複数の医療機関にまたがる診療情報を統合的に表示することができる。具体的には、例えば、複数の医療機関で受けた血液検査の結果について表示する際に、それらの結果を医療機関毎ではなく、複数の医療機関での結果を、利用者の時系列に沿って横断的に閲覧することができる。
【００４４】
次に、診療情報表示システムにおいて実行される第二の診療情報閲覧処理について説明する。図３は、本発明の実施の形態にかかる第二の診療情報閲覧処理のフローチャートを示す図である。
【００４５】
医療機関における医師などの医療従事者（以下、「医療従事者」という）は、利用者に関する診療情報、例えば、他の医療機関におけるその利用者の受診に関する診療情報を閲覧するために、まず医療機関端末４０から医療情報管理サーバ１０にアクセスすると、認証機能１１によって、医療機関端末４０の表示装置には、ログイン画面が表示される。このログイン画面において、医療従事者は、医療機関端末４０の入力装置から、医療機関ＩＤと対応するパスワードを入力して、認証機能１１に送信する（ステップＳ３１）。医療機関ＩＤやパスワードといったログインに必要な情報は、本発明の診療情報表示システムを導入した医療機関に対して発行されるものであり、予め事業者から医療機関に、郵送やメール添付などの形で送付されていることが好ましい。なお、本実施形態においては、ログインに必要な認証方法として、医療機関ＩＤとパスワードを用いた例を挙げたが、本発明はこれに限定させることはなく、例えば、医療従事者の指紋や指静脈照合などといった、医療機関を一意に識別できる認証方法であれば、他の方法であっても良い。
【００４６】
認証機能１１は、医療機関ＩＤとパスワードを受信し（ステップＳ３２）、これらのログイン情報について、医療機関の認証情報を含む登録情報が予め登録されている登録情報データベース１５に照会する（ステップＳ３３）。認証機能１１は、受信したログイン情報と、登録情報データベース１５に記憶された登録情報に含まれる認証情報とを照合し（ステップＳ３４）、一致していない場合には、ログイン情報が正しくないとのメッセージを医療機関端末４０に送信し、このメッセージを受信した医療機関端末４０は、表示装置にこのメッセージを表示し（ステップＳ３５）、ログイン画面を再度表示させる（ステップＳ３１）。
【００４７】
ステップＳ３４において、認証機能１１が受信したログイン情報と登録情報とが一致した場合には、情報送受信機能１４は、ログインが完了した旨のログイン通知と、後述する第二の閲覧要求の入力画面情報を、医療機関端末４０に送信する（ステップＳ３６）。医療機関端末４０は、ログイン通知と第二の閲覧要求の入力画面情報とを受信し、第二の閲覧要求の入力画面を表示装置に表示する（ステップＳ３７）。
【００４８】
医療機関端末４０の表示装置に表示された第二の閲覧要求の入力画面には、利用者の利用者ＩＤを入力する入力欄が表示される。医療従事者は、この入力欄に、閲覧を希望する利用者の利用者ＩＤを入力装置から入力し、第二の閲覧要求として、認証機能１１を経由して情報送受信機能１４に送信する（ステップＳ３８）。利用者の利用者ＩＤは、利用者が医療機関に対して提供するものであり、例えば、利用者ＩＤが印刷されている診察券を医療機関に提出するなどの形で提供される。また、この利用者ＩＤの入力については、例えば、診察券に印刷されたバーコードを医療従事者がバーコードリーダーを用いて入力する等、入力欄に利用者ＩＤが入力されるのであれば、その方法は本実施例に限定されるものではない。
【００４９】
なお、救急時や災害時などの緊急の場合や、利用者が診察券を忘れた場合などには、一般に「名寄せ」と呼ばれる方法により、医療機関端末４０から利用者の診療情報を閲覧可能とすることもできる。「名寄せ」とは、例えば、利用者の氏名、生年月日、住所、性別、連絡先などの個人情報を用いて、利用者個人を特定する方法である。
【００５０】
送信された第二の閲覧要求は、情報送受信機能１４により受信される（ステップＳ
３９）。情報送受信機能１４は、受信した第二の閲覧要求に含まれる利用者ＩＤと医療機関ＩＤとを、登録情報データベース１６に照会して、利用者及び医療機関に対応する登録情報を参照する（ステップＳ４０）。参照された登録情報には、診療情報データベース１５に記憶されている利用者の診療情報のうち、ログインした医療機関が閲覧可能であると予め指定されている診療情報項目が記憶されている。情報送受信機能１４は、この登録情報に対応する診療情報を、診療情報データベース１５に照会し、抽出して（ステップＳ４１）、医療機関端末４０に送信する（ステップＳ４２）。送信された診療情報は、医療機関端末４０により受信され（ステップＳ４３）、医療機関端末４０の表示装置に表示される（ステップＳ４４）。医療機関端末４０が受信した診療情報は、医療機関端末４０によって適宜加工され、医療従事者にとって好適な表示方法で表示することも可能であり、例えば、利用者の薬歴や検査結果を、時系列や受診医療機関毎といった、医療従事者が閲覧しやすい表示形式で表示可能とすることが好ましい。また、利用者が、本発明の診療情報表示システムが導入されている複数の医療機関を受診した場合であれば、利用者の診療情報を医療機関端末４０に表示する際に、複数の医療機関にまたがる診療情報を統合的に表示することができる。具体的には、例えば、複数の医療機関で受けた血液検査の結果について表示する際に、それらの結果を医療機関毎ではなく、複数の医療機関での結果を、利用者の時系列に沿って横断的に閲覧することができる。
【００５１】
次に、診療情報表示システムにおいて、医療機関が有する医療機関診療情報のうち、他の医療機関が閲覧可能な情報を選択、指定する方法について説明する。図４は、本発明の実施の形態にかかる医療機関における、他の医療機関が閲覧可能な診療情報の選択・指定処理に関するフローチャートを示す図である。
【００５２】
医療従事者が、医療情報管理サーバ１０の具備する診療情報データベース１５に記憶された診療情報について、他の医療機関から閲覧可能な情報を選択し指定する際には、まず医療機関端末４０から医療情報管理サーバ１０にログインし、診療情報の閲覧要求を情報送受信機能１４に送信する（ステップＳ５０）。閲覧要求を受信した情報送受信機能１４は、診療情報データベース１５を参照し、閲覧要求に対応する診療情報を医療機関端末４０に送信する（ステップＳ５１）。医療機関端末４０は、受信した診療情報を表示装置に表示する（ステップＳ５２）。この際の表示形式については、医療従事者が診療情報についての閲覧の可否を指定しやすい表示形式であれば良く、例えば、利用者の診療情報の各項目毎、利用者毎、診療情報の項目毎、特定の抽出条件にあてはまる項目毎などに、医療従事者が他の医療機関の閲覧の可否を指定できるように表示されることが好ましい。
【００５３】
医療従事者は、医療機関端末４０の具備する入力装置からの入力により、表示画面に表示された診療情報について、他の医療機関から閲覧可能とする項目や情報を任意に選択、指定する（ステップＳ５３）。ここでは、逆に、他の医療機関から閲覧不可とする項目や情報を任意に選択、指定するようにすることも可能である。また、特定の医療機関、例えば、同じ医療法人の提携医療機関などに対しては、閲覧可能な項目を多くし、その他の医療機関に対しては閲覧可能項目を少なくする、といったような選択、指定も可能であることが好ましい。
【００５４】
医療従事者による選択、指定が完了すると、医療機関端末４０は、医療従事者により指定された項目や情報に関する指定項目情報を、医療情報管理サーバ１０の情報送受信機能１４に送信する（ステップＳ５４）。この際には、送信される情報の重複を防ぐために、指定項目情報のうち、既に医療機関端末４０から送信されている指定項目情報を除いて、まだ送信されていない差分情報のみを送信するようにすることも可能である。
【００５５】
医療機関端末４０から送信された指定項目情報は、情報送受信機能１４に受信され（ステップＳ５５）、これらの情報は、登録情報データベース１６に記憶される（ステップＳ５６）。
【００５６】
次に、本発明の診療情報表示システムを導入する医療機関が遵守すべき規約が、遵守されることを担保するための本発明のシステム構成について説明する。ここで、医療機関が遵守すべき規約とは、利用者の診療を行う目的以外での診療情報の閲覧はしてはならないというものである。医療機関が診療情報の共同利用体に加入する際には、この規約への同意が求められる。
【００５７】
この規約が遵守されることを担保するために、本発明の診療情報表示システムにおいては、医療機関により利用者の診療情報が閲覧される際に、医療情報管理サーバ１０が登録情報データベース１６にログ情報を記憶しておく。このログ情報を記憶すること自体が、医療機関の規約遵守のために効果があるが、本発明においてはさらに、このログ情報をもとに、診療情報の閲覧後に診療を行っていない医療機関に関するアラート情報を生成することで、医療機関の規約遵守を担保することができる。
【００５８】
本発明においては、ログ情報と、その利用者の診療情報を更新した医療機関と更新した日時に関する更新情報とを参照し、診療情報を閲覧した医療機関が、その閲覧後にその利用者の診療を行ったか否かについての判定が行われる。この判定は、医療機関による診療情報の閲覧から所定の期間内、及び／又は、所定の期限までに、診療情報を閲覧した医療機関により、その利用者の診療情報が更新されたか否かを判定するものである。
【００５９】
閲覧後にその医療機関により診療が行われていないと判定された場合には、アラート情報が生成される。このアラート情報をもとに、事業者は、該当する医療機関に対して電話や書面にて連絡や注意喚起などを行うようにすることもできるし、また、アラート情報が直接該当する医療機関の医療機関端末４０に送信され、注意喚起されるようにすることもできる。
【００６０】
図１３は、本発明の実施の形態にかかる利用者の診療情報を閲覧した医療機関により診療が行われたかどうかの確認処理、及び、アラート情報生成処理に関するフローチャートを示す図である。まず、医療従事者は、利用者の診療情報を閲覧するために、医療機関端末４０から医療情報管理サーバ１０にログインし（ステップＳ３７）、第二の閲覧要求を入力して医療情報管理サーバ１０に送信する（ステップＳ３８）。医療情報管理サーバ１０は、この第二の閲覧要求を受信する（ステップＳ３９）。ここで、登録情報が登録情報データベース１６に照会され、第二の閲覧要求に対応する診療情報が医療機関端末４０に送信される（ステップＳ４０〜４２）とともに、その医療機関端末４０から診療情報が閲覧されたことを記憶するログ情報が登録情報データベース１６に記憶され（ステップＳ６０）、ログ情報の診療確認フラグがＯＮにされ（ステップＳ６１）、後述するように、ログ情報についての計時が開始される（ステップＳ６２）。
【００６１】
このログ情報とは、医療機関端末４０から診療情報が閲覧された日時に関する情報であり、第二の閲覧要求を医療情報管理サーバ１０に送信した医療機関端末４０を特定する情報と、第二の閲覧要求に対応する閲覧日時に関する情報、例えば、医療情報管理サーバ１０が第二の閲覧要求を受信した日時や、第二の閲覧要求に対応した診療情報が医療情報管理サーバ１０から送信された日時などの情報とを含むものであれば良い。また、ログ情報の診療確認フラグとは、医療機関端末４０から診療情報が閲覧された後、閲覧した医療機関が利用者の診療を行ったかどうかを確認すべきログ情報を識別するために、ログ情報に記憶されるフラグである。
【００６２】
医療機関は、利用者の診療を行う目的のみのために診療情報を閲覧することが望ましい。利用者の診療が行われると、診療を行った医療機関はその利用者の診療情報を更新する。つまり、通常、医療機関は、利用者の診療情報の閲覧を行った後には、必ずその利用者の診療情報を更新する。従って、診療情報が医療機関により適切に閲覧されているかどうかを確認するためには、利用者の診療情報を閲覧した日時から所定の期間内までに、及び／又は、所定の期限までに、その診療情報の更新が行われているかどうかを判定すればよい。
【００６３】
この診療情報を閲覧した日時から所定の期間内とは、例えば、閲覧から２４時間以内、１週間以内、１ヶ月以内など、医療機関の診療情報閲覧と診療との関係を適切に確認する上で好適な期間を適宜設定したものである。同様に、所定の期限とは、例えば、閲覧日の診療業務終了時間や診療情報更新完了時間、閲覧日の２４時、閲覧日の週の最終平日の診療業務終了時間や診療情報更新完了時間、閲覧日の週の最終平日の２４時、毎週日曜の２４時、毎月末の最終日の２４時、事業者により診療情報の更新が行われる場合の次回更新日時など、医療機関の診療情報閲覧と診療との関係を適切に確認する上で好適な期限を適宜設定したものである。
【００６４】
特に図示しないが、医療情報管理サーバ１０は計時手段を具備しており、診療確認フラグがＯＮになったログ情報について、計時を開始することで、上記の所定の期間の経過や所定の期限の経過を検知することができる。この計時手段により、所定の期間の経過や所定の期限の経過が検出される（ステップＳ６３）。
【００６５】
ステップＳ６３において所定の期間の経過や所定の期限の経過が検出されたログ情報については、このログ情報と、診療情報が更新された日時に関する後述する更新情報とが参照される（ステップＳ６４）。ここで、ログ情報の日時以降に、診療情報を閲覧した医療機関からの診療情報の更新が行われたかどうかの判定が行われる（ステップＳ６５）。
【００６６】
この判定により、閲覧後に診療情報の更新が行われていないことが判定された診療情報については、アラート情報が生成される（ステップＳ６６）。ここで生成されたアラート情報は、事業者がこれを閲覧し、アラート情報に対応する医療機関に対して、連絡や注意喚起などを行うようにすることができる。また、このアラート情報が、該当する医療機関端末４０に送信されて、医療機関に注意喚起を行えるようにすることもできる。アラート情報が生成された、対応する診療情報については、次の所定の期間が経過する、及び／又は、次の所定の期限が経過すると、再び上述したステップＳ６３からの処理が繰り返される。
【００６７】
ステップＳ６０においてログ情報が記憶された後に、診療情報を閲覧した医療機関により診療情報が更新された場合の処理について説明する。利用者の診療を行った医療機関は、利用者の診療に関する診療情報の更新データを、医療機関端末４０から医療情報管理サーバ１０に送信する（ステップＳ６７）。医療情報管理サーバ１０は、この診療情報の更新データを受信する（ステップＳ６８）。受信された診療情報の更新データをもとに、診療情報データベース１５に記憶された診療情報が更新される（ステップＳ６９）。診療情報の更新が行われると、更新を行った医療機関の情報と、更新が行われた日時に関する情報とからなる更新情報が生成され、診療情報データベース１５に記憶される（ステップＳ７０）。
【００６８】
このように、診療情報の閲覧後、ステップＳ６３に示した所定の期間が経過する前、及び、所定の期限が経過する前に、閲覧した医療機関により診療情報が更新された場合には、ステップＳ６５における判定により、診療情報の更新が行われたと判定される。この場合には、更新が行われたことが判定された診療情報に対応するログ情報の診療確認フラグはＯＦＦにされ（ステップＳ７１）、ログ情報についての計時は中止されて（ステップＳ７２）、その診療情報を閲覧した医療機関により診療が行われたかどうかの確認処理は終了する。
【００６９】
次に、診療情報表示システムにおいて利用者端末３０に表示されるインターフェイスについて説明する。図５〜図７は、本発明の実施の形態にかかる診療情報表示システムについて、利用者端末３０の表示装置に表示される画面例を示す図である。
【００７０】
図５は、利用者端末３０に表示されるログイン画面の表示例である。利用者は、利用者端末３０から医療情報管理サーバ１０にアクセスすると、認証機能１１からログイン画面情報が送信され、利用者端末３０の表示画面５０には、ログイン画面５１が表示される。このログイン画面５１には、さらにログイン情報入力部５２が表示されており、利用者は、利用者端末３０の入力装置からの入力により、ログイン情報表示部５２のログインＩＤ入力欄５２ａに利用者ＩＤを入力し、対応するパスワードをパスワード入力欄５２ｂに入力して、送信ボタン５３を指定することにより、利用者ＩＤとパスワードとを認証機能１１に送信する。
【００７１】
入力されたログイン情報が正しいものであった場合には、利用者端末３０の表示装置には、図６のような画面が表示される。表示画面６０には、診療情報表示システムのウインドウ６１が表示され、このウインドウ６１には、ログインした利用者の氏名６２、ログイン日時６３、ログインした利用者が閲覧可能な診療項目リスト６４、利用者の診療情報に応じて広告生成機能１２が生成し、情報送受信機能１４から送信された広告情報を受信して表示する広告表示部６５、及び、ウインドウ６１からログアウトするためのログアウトボタン６６が表示される。診療項目リスト６４には、ログインした利用者の薬歴又は検査情報が含まれていることが好ましく、さらにその他の診療項目である処置内容、医師の所見、画像診断等の結果である画像や映像などが任意に含まれていても良い。また、診療項目リスト６４には、ログインした利用者が閲覧可能な診療情報のみがリストとして一覧表示されており、利用者がこれらの一覧から閲覧したい項目を選択、指定することで、利用者端末３０は第一の閲覧要求を生成して情報送受信機能１４に送信する。情報送受信機能１４が第一の閲覧要求を受信すると、広告生成機能１２は、ログインした利用者の診療情報に応じて広告情報を生成し、生成した広告情報と第一の閲覧要求に対応する診療情報とが、情報送受信機能１４から利用者端末３０に送信される。
【００７２】
利用者端末３０が、情報送受信機能１４からの診療情報及び広告情報を受信すると、利用者端末３０の表示画面６０には、図７に示すような利用者診療情報表示画面６１が表示される。利用者診療情報表示画面６１には、ログインしている利用者の氏名６２、ログイン日時６３、広告表示部６５、表示項目６７、診療情報表示部６８、ログイン画面に戻るボタン６９などが表示される。本実施形態においては、例として血液検査結果を時系列で表示する場合を図示したが、本発明はこれに限定されることはなく、例えば、レーダーチャート表示、数値表を用いた表示など、利用者が診療情報を閲覧するのに好適な表示方法であれば、別の表示方法を採用することも可能である。
【００７３】
次に、診療情報表示システムにおいて医療機関端末４０に表示されるインターフェイスについて説明する。図５、図８、および図９は、本発明の実施の形態にかかる診療情報表示システムについて、医療機関端末４０の表示装置に表示される画面例を示す図である。
【００７４】
図５は、医療機関端末４０に表示されるログイン画面の表示例である。医療従事者による医療機関端末４０からのログインは、上述した利用者の利用者端末３０からのログイン方法と同様である。医療従事者が医療機関端末４０から医療情報管理サーバ１０にアクセスすると、認証機能１１からログイン画面情報が送信され、医療機関端末４０の表示画面５０には、ログイン画面５１が表示される。このログイン画面５１には、さらにログイン情報入力部５２が表示されており、医療従事者は、医療機関端末４０の入力装置からの入力により、ログイン情報表示部５２のログインＩＤ入力欄５２ａに医療機関ＩＤを入力し、対応するパスワードをパスワード入力欄５２ｂに入力して、送信ボタン５３を指定することにより、医療機関ＩＤとパスワードとを認証機能１１に送信する。
【００７５】
入力されたログイン情報が正しいものであった場合には、医療機関端末４０の表示装置には、図８のような画面が表示される。表示画面８０には、診療情報表示システムのウインドウ８１が表示され、このウインドウ８１には、ログインした医療機関名８２、ログイン日時８３、診療情報の閲覧に関する入力部８４、及び、ウインドウ８１からログアウトするためのログアウトボタン８５が表示される。入力部８４には、診療情報の閲覧を希望する利用者の利用者ＩＤを入力する利用者ＩＤ入力部８４ａ、利用者ＩＤ送信ボタン８４ｂ、後に詳述する診療情報閲覧可否指定画面への移行ボタン８４ｃが表示される。医療従事者は、他の医療機関における利用者の診療情報を閲覧したい場合には、利用者から提供された利用者ＩＤを利用者ＩＤ入力部８４ａに入力し、送信ボタン８４ｂを指定すれば良い。送信ボタン８４ｂが指定されることにより、医療機関端末４０は、利用者ＩＤを含む第二の閲覧要求を生成し、情報送受信機能１４に送信する。
【００７６】
第二の閲覧要求を受信した情報送受信機能１４は、登録情報データベース１６及び診療情報データベース１５を参照し、受信した第二の閲覧要求に対応する診療情報を抽出して、医療機関端末４０に送信する。第二の閲覧要求に対応する診療情報を受信した医療機関端末４０の表示装置には、図９に示すような画面が表示される。医療機関端末４０の表示画面８０には、診療情報表示システムのウインドウ８１が表示され、ウインドウ８１には、ログイン日時８３、利用者ＩＤ８６、利用者指名８７、医療機関が閲覧可能な診療項目のリスト８８、及び、ログイン画面に戻るボタン８９などが表示される。医療従事者は、閲覧可能な診療項目のリスト８８から、閲覧したい項目を選択、指定することで、医療機関端末４０は第二の閲覧要求を生成し、情報送受信機能１４に送信する。第二の閲覧要求を受信した情報送受信機能１４は、登録情報データベース１６及び診療情報データベース１５を参照し、この第二の閲覧要求に対応する診療情報を抽出して、医療機関端末４０に送信する。医療従事者は、受信した診療情報を閲覧して、利用者の診療に利用することができる。
【００７７】
次に、診療情報表示システムにおいて、医療機関が他の医療機関による閲覧の可否を指定する際における、医療機関端末４０に表示されるインターフェイスについて説明する。医療従事者が、他の医療機関による閲覧の可否を指定する際には、図８の表示画面から、診療情報閲覧可否指定画面への移行ボタン８４ｃを指定すれば良い。移行ボタン８４ｃが指定されると、医療機関端末４０は、診療情報データベース１５に記憶されている診療情報の閲覧要求を、情報送受信機能１４に送信する。この閲覧要求を受信した情報送受信機能１４は、診療情報データベース１５を参照して、閲覧要求を送信した医療機関に対応する診療情報を医療機関端末４０に送信する。医療機関端末４０は、受信した診療情報を表示装置に表示する。図１０は、この診療情報が示される診療情報閲覧可否指定画面の例を示す図である。
【００７８】
医療機関端末４０の表示画面９０には、診療情報閲覧可否指定画面９１が表示される。診療情報閲覧可否指定画面９１には、ログイン日時９２、利用者名９３、他医療機関の閲覧可否を設定するための設定項目リスト９４、決定送信ボタン９５が表示される。例えば、医療従事者が、利用者名９３の利用者の診療情報のうち、確定診断名９４ａ１について、他の医療機関からの閲覧を可能と指定するには、チェックボックス９４ｂ１にチェックを入れて、決定送信ボタン９５を指定すれば良い。他医療機関の閲覧の可否を指定する項目としては、９４ａや９４ｃに挙げられているように、例えば、確定診断名、医師の所見、担当医師名、Ｘ線写真、ＣＴ画像、ＭＲＩ画像、内視鏡映像、血液検査結果などが挙げられるが、本発明はこれに限定されることはなく、医療機関での診療において生成される診療情報に含まれる情報であればその種類を問わない。また、本実施形態では、各利用者の各診療情報項目ごとに閲覧の可否を選択するようになっているが、他の選択方法、例えば、一定期間の受診日のデータ全てについて特定の項目を閲覧不可にする、特定の医療機関に対してのみ閲覧を許可する、特定の利用者の診療情報のみを閲覧不可とする等、医療従事者にとって好適な任意の指定方法が適宜可能となっていることが好ましい。
【００７９】
次に、本発明の実施の形態にかかる広告登録データベースに記憶されるデータレコード形式について説明する。図１１は、広告登録データベースに記憶されるデータレコード形式の一例を示す図である。
【００８０】
広告登録データベースに記憶されるデータレコード１００には、各項目１０１として、広告ＩＤ１０１ａ、対象地域１０１ｂ、対象性別１０１ｃ、対象年齢層１０１ｄ、対象疾患１０１ｅ、対象薬歴１０１ｆ、対象検査結果１０１ｇ、などが記憶されている。広告生成機能１２は、自身の診療情報を閲覧する利用者に対して送信する広告情報を生成するにあたって、効果的な広告を選択するために、利用者に対応する診療情報と、広告登録データベースに記憶されるデータレコード１００に含まれる各項目１０１とを照合させ、両者が適合する広告、例えば、一致項目の多い広告を抽出するなどして、その広告に関する情報をもとに利用者端末３０に送信する広告情報を生成することが好ましい。
【００８１】
例えば、利用者が、３０代男性、関東在住、高脂血症、である場合には、こうした利用者に対応する診療情報とデータレコード１００とを項目ごとに比較して、より多くの項目が一致する広告、例えば、血中脂質濃度を抑える健康食品に関する広告などを優先的に選択し、その広告に関する情報を基に広告情報を生成して、利用者端末３０に送信することができる。この際の広告の選択方法は、本実施例で用いた方法に限定されることはなく、広告の内容と広告を受信する利用者とがより好適に対応し、利用者の関心が高いと予測される広告を選ぶ方法であれば、他の方法を用いることもできる。例えば、データレコード１００の各項目１０１それぞれに点数をつけて重みづけをし、利用者の診療情報と適合する項目の点数を合算して、総点数の最も高い広告を優先的に選択する方法を採用することも可能であるし、また、診療情報に含まれる任意の一項目の情報について、その項目がデータレコードの対応する項目１０１と適合した場合には、ある特定の広告を最優先で選択する方法を採用することも可能である。このように、利用者の診療情報に基づいた、利用者の関心が高いと予測される広告を選択して利用者に提供できるため、利用者の利便性をより高めることができる。また、事業者は、広告の効果を高めることができる。
【００８２】
本発明のデータレコード１００に記憶される広告としては、特に限定されないが、利用者が関心の高い分野の商品やサービスなどが好ましく、具体例としては、生命保険や医療保険などの保険に関する広告、健康食品やフィットネスクラブなどの健康に関する広告、デイケアサービスなどの福祉に関する広告、理美容関連商品・サービスに関する広告などが好ましい。
【００８３】
なお、本実施形態では、利用者が医療情報管理サーバ１０にアクセスし、第一の閲覧要求を送信することで、自身の診療情報を閲覧可能とするものであったが、本発明はこれに限定されることはなく、例えば、利用者が一度ログインした利用者端末３０に対して、利用者に対応する診療情報と広告情報とを、医療情報管理サーバ１０から定期的に送信して提供するようにすることも可能である。この場合は、利用者から第一の閲覧要求を送信する必要はなく、利用者端末への情報提供方法としては、メールやポップアップウィンドウなど、利用者が利用者端末３０を用いて閲覧可能な方法であれば良い。
【００８４】
本発明の診療情報表示システムは、利用者が自身に関する過去の診療情報を利用者端末から閲覧することができるため、利用者が医療機関を受診する際の利便性を高めることができる。また、利用者が複数の医療機関を受診する場合であっても、受診する複数の医療機関がそれぞれ診療情報の共同利用体に加入し本発明の診療情報表示システムを導入していれば、初診の際に利用者が説明する苦労が軽減される。利用者が新たに受診する医療機関が本発明の診療情報表示システムを導入していない場合でも、利用者は自身の診療情報を前もって閲覧しておくことで、初診の際の説明のための準備をしておくことができる。さらに、本発明の診療情報表示システムを導入している医療機関に関しては、利用者は、利用者自身に関する診療情報を複数医療機関にまたがって統合的に閲覧することもできる。このように、利用者の利便性をより高めることができる。利用者の利便性を高めることにより、利用者に対して、共同利用体に加入している医療機関を利用したいという動機付けを行なうことができ、利用者の医療機関利用を促進することができるので、医療機関が共同利用体に加入するメリットを強化することができる。結果として、医療機関の共同利用体への加入を促進し、診療情報の共同利用を促進することができる。
【００８５】
本発明の診療情報表示システムは、医療機関にとっては、利用者の他の医療機関における診療情報を閲覧して利用者の診療に役立てることができるため、医療従事者の利便性を高めることができる。また、医療従事者は、医療機関の診療情報に関する医療情報システム業務を事業者に委託する際に、他の医療機関からの閲覧の可否を指定することができるため、医療情報の機密保持に関し安心して診療情報に関する医療情報システム業務を委託することができる。
【００８６】
また、事業者は、本発明の診療情報表示システムを導入した医療機関に対して、医療機関診療情報に関する医療情報システム業務の委託を受け、広告情報の生成に関して診療情報を利用させてもらう代わりに、システム導入費用やシステム利用料を割り引くようにすることも可能である。これにより、事業者は、医療機関への本システムの導入を促進することができる。
【００８７】
さらに、本発明の診療情報表示システムは、事業者が利用者に対して購買意欲が高いと予測される商品やサービスの広告を提供できるため、広告の効果を高めることができるとともに、システムを導入した医療機関からのシステム利用料などの他に、広告からも収益を上げることができる。
【符号の説明】
【００８８】
１０    医療情報管理サーバ
１１    認証機能
１２    広告生成機能
１３    広告登録データベース
１４    情報送受信機能
１５    診療情報データベース
２０    通信ネットワーク
２１    通信ネットワーク
３０    利用者端末
４０    医療機関端末
５０    表示画面
５１    ログイン画面
６０    利用者端末の表示画面
６１    診療情報表示システムのウィンドウ（利用者端末）
７０    医薬品詳細情報ウィンドウ
８０    医療機関端末の表示画面
８１    診療情報表示システムのウィンドウ（医療機関端末）
９０    医療機関端末の表示画面（診療情報閲覧可否指定）
９１    診療情報閲覧可否指定画面
１００    広告登録データベースに記憶されるデータレコード
１１０    診療情報の共同利用体
１１１    団体
１１２    医療機関
１１３    医療機関の利用者
【図１】
2014174635.tif 000003
【図２】
2014174635.tif 000004
【図３】
2014174635.tif 000005
【図４】
2014174635.tif 000006
【図５】
2014174635.tif 000007
【図６】
2014174635.tif 000008
【図７】
2014174635.tif 000009
【図８】
2014174635.tif 000010
【図９】
2014174635.tif 000011
【図１０】
2014174635.tif 000012
【図１１】
2014174635.tif 000013
【図１２】
2014174635.tif 000014
【図１３】
2014174635.tif 000015